(57)【要約】【課題】駆動周波数を共振周波数の変化に確実に追従させて共振周波数に一致させる。【解決手段】圧電トランス１１を駆動する駆動パルスＳｄおよび同期パルスＳｓｙｎを生成するパルス生成部２と、圧電トランス１１から負荷への出力電流Ｉｏｕｔを検出して二値化することによって検出パルスＳｉを生成する電流検出部３と、同期パルスＳｓｙｎに対する位相差を調整して基準パルスＳｒｅｆとして出力する位相調整部４と、各パルスＳｉ，Ｓｒｅｆから論理パルスＳｌｇｃを生成して出力する論理パルス生成部５と、パルス生成部２に対する制御を実行して、論理パルスＳｌｇｃのデューティ比が予め設定された基準デューティ比に一致するように駆動パルスＳｄの周波数を変更する制御部６とを備えている。【選択図】図１
2014124052.tif 000002
【特許請求の範囲】
【請求項１】
圧電トランスを駆動する駆動パルスおよび当該駆動パルスと同一周波数であって一定のデューティ比の同期パルスを生成するパルス生成部と、
前記駆動パルスによって駆動されている前記圧電トランスから負荷に出力される出力電流を検出して二値化することによって検出パルスを生成する電流検出部と、
前記同期パルスを入力すると共に当該同期パルスに対する位相差を調整して基準パルスとして出力する位相調整部と、
前記検出パルスおよび前記基準パルスの論理演算のパルスを生成して論理パルスとして出力する論理パルス生成部と、
前記パルス生成部に対する制御を実行して、前記論理パルスのデューティ比が予め設定された基準デューティ比に一致するように前記駆動パルスの周波数を変更する制御部とを備えている圧電トランス駆動回路。
【発明の詳細な説明】
【技術分野】
【０００１】
本発明は、圧電トランスを駆動するための圧電トランス駆動回路に関するものである。
【背景技術】
【０００２】
この種の圧電トランス駆動回路の駆動対象である圧電トランスは、下記特許文献１に開示されているように、駆動周波数（発振周波数）を変化させることにより、出力電圧が変化するという出力電圧についての周波数特性、より具体的には、出力電圧が共振周波数を最大として、その上下で下降するという出力電圧についての周波数特性（昇圧比が共振周波数で最大となる周波数特性）を有している。
【０００３】
したがって、圧電トランス駆動回路では、昇圧比が最大の状態で圧電トランスを駆動するために、一般的には、仕様書などに記載されている圧電トランスの共振周波数と同じ駆動周波数で圧電トランスの駆動を開始する。また、圧電トランスの出力電圧（または圧電トランスに流れる電流）を検出しつつ、出力電圧（または電流）が低下したときには、駆動周波数が共振周波数を上回る周波数であるか共振周波数を下回る周波数であるかを判別する。そして、駆動周波数が共振周波数を上回るときには駆動周波数を低下させ、逆に、駆動周波数が共振周波数を下回るときには駆動周波数を増加させるという周波数制御を実行して、駆動周波数を共振周波数に追従させて変化させることで共振周波数に一致させている。
【先行技術文献】
【特許文献】
【０００４】
【特許文献１】特開平８−３３３５２号公報（第３頁、第２図）
【発明の概要】
【発明が解決しようとする課題】
【０００５】
ところが、上記の圧電トランス駆動回路には、以下のような解決すべき課題が存在している。すなわち、圧電トランスの共振周波数は温度や湿度などの環境要素の変化に起因して変化する。このため、上記の圧電トランス駆動回路には、圧電トランスの共振周波数が予め求めた共振周波数から異なる共振周波数に変化したときには、この異なる共振周波数が未知であることから、駆動周波数が共振周波数を上回る周波数であるか共振周波数を下回る周波数であるかに基づいて行う上記の周波数制御ができなくなる結果、駆動周波数を共振周波数に追従させて、共振周波数に一致させることが困難になるという解決すべき課題が存在している。
【０００６】
本発明は、かかる課題に鑑みてなされたものであり、駆動周波数を共振周波数の変化に確実に追従させて共振周波数に一致させ得る圧電トランス駆動回路を提供することを主目的とする。
【課題を解決するための手段】
【０００７】
上記目的を達成すべく請求項１記載の圧電トランス駆動回路は、圧電トランスを駆動する駆動パルスおよび当該駆動パルスと同一周波数であって一定のデューティ比の同期パルスを生成するパルス生成部と、前記駆動パルスによって駆動されている前記圧電トランスから負荷に出力される出力電流を検出して二値化することによって検出パルスを生成する電流検出部と、前記同期パルスを入力すると共に当該同期パルスに対する位相差を調整して基準パルスとして出力する位相調整部と、前記検出パルスおよび前記基準パルスの論理演算のパルスを生成して論理パルスとして出力する論理パルス生成部と、前記パルス生成部に対する制御を実行して、前記論理パルスのデューティ比が予め設定された基準デューティ比に一致するように前記駆動パルスの周波数を変更する制御部とを備えている。
【発明の効果】
【０００８】
請求項１記載の圧電トランス駆動回路によれば、共振周波数を中心とする所定幅の周波数帯域内において周波数の変化に応じて単調に変化する（例えば単調増加する）という位相についての周波数特性を利用して、変化する共振周波数に駆動パルスの周波数を追従させて変化させることができるため、変化後の共振周波数が未知であったとしても、共振周波数が上記の周波数帯域内において変化している限りにおいて、この共振周波数に駆動パルスの周波数を一致させることができる。この結果、この圧電トランス駆動回路によれば、昇圧比が最大となる状態で圧電トランスを駆動することができる。
【図面の簡単な説明】
【０００９】
【図１】圧電トランス駆動回路１の構成を示す構成図である。
【図２】圧電トランス駆動回路１の動作を説明するための波形図である。
【図３】圧電トランス１１の昇圧比および位相についての各周波数特性を示す特性図である。
【発明を実施するための形態】
【００１０】
以下、圧電トランス駆動回路の実施の形態について、添付図面を参照して説明する。
【００１１】
最初に、圧電トランス駆動回路１の構成について図１を参照して説明する。
【００１２】
圧電トランス駆動回路１は、パルス生成部２、電流検出部３、位相調整部４、論理パルス生成部５および制御部６を備えて構成されている。この場合、圧電トランス駆動回路１は、駆動パルスＳｄを生成して圧電トランス１１に出力することで圧電トランス１１を駆動すると共に、駆動されている圧電トランス１１から出力される出力電圧Ｖｏｕｔが負荷１２に印加された際に負荷１２に流れる出力電流Ｉｏｕｔ（圧電トランス７の出力電流Ｉｏｕｔ）を検出しつつ、出力電流Ｉｏｕｔが最大になるように（つまり、出力電圧Ｖｏｕｔが最大になるように）駆動パルスＳｄの周波数を変更する他励式の駆動回路として構成されている。
【００１３】
圧電トランス１１は、一対の入力端子１１ａ，１１ｂ間に入力される駆動パルスＳｄで駆動されたときに、正弦波状の出力電圧Ｖｏｕｔを出力端子１１ｃから出力する。また、本例では、負荷１２は、圧電トランス１１の出力端子１１ｃと基準電位（グランドＧ）との間に接続されている。このため、出力電流Ｉｏｕｔも正弦波状の電流として負荷１２を流れることになる。
【００１４】
パルス生成部２は、駆動パルスＳｄを生成すると共に、図２に示すように、駆動パルスＳｄと同じ周波数（同じ周期Ｔ０）であって、一定のデューティ比の同期パルスＳｓｙｎを生成して位相調整部４に出力する。本例では一例として、パルス生成部２は、駆動パルスＳｄの立ち上がりタイミングと同じタイミングで立ち上がり、デューティ比が０．５の同期パルスＳｓｙｎを生成して出力する。また、パルス生成部２は、駆動パルスＳｄの生成動作が制御部６によって制御されることにより、生成する駆動パルスＳｄの周波数（圧電トランス１１の駆動周波数）を変更可能に構成されている。
【００１５】
電流検出部３は、出力電流Ｉｏｕｔを検出して二値化することにより、駆動パルスＳｄと同じ周波数（同じ周期Ｔ０）の検出パルスＳｉを生成して出力する。本例では一例として、電流検出部３は、電流検出抵抗２１およびコンパレータ２２を備えている。この場合、電流検出抵抗２１は、低抵抗値（例えば１Ω未満の抵抗値）の固定抵抗で構成されている。また、電流検出抵抗２１は、負荷１２と直列接続された状態で、圧電トランス１１の出力端子１１ｃと基準電位（グランドＧ）との間に接続されている。この構成により、電流検出抵抗２１は、正弦波状の出力電流Ｉｏｕｔを正弦波状の検出電圧Ｖｄに変換して出力する。コンパレータ２２は、反転入力端子が基準電位に接続されると共に、非反転入力端子に検出電圧Ｖｄが入力される。この構成により、コンパレータ２２は、正弦波状の検出電圧Ｖｄを二値化して図２に示すような検出パルスＳｉ（デューティ比：０．５）を生成すると共に、生成した検出パルスＳｉを論理パルス生成部５に出力する。
【００１６】
位相調整部４は、同期パルスＳｓｙｎを入力すると共に、この同期パルスＳｓｙｎに基づいて、同期パルスＳｓｙｎと同じ周波数（同じ周期Ｔ０）の基準パルスＳｒｅｆ（デューティ比：０．５）を生成して論理パルス生成部５に出力する。具体的には、位相調整部４は、同期パルスＳｓｙｎに対する基準パルスＳｒｅｆの位相差φ１（図２参照）を、設定された位相差に調整して、基準パルスＳｒｅｆを生成する。位相調整部４は、例えば、ＣＲ微分回路やＲＣ積分回路などを組み合わせて構成されて、いずれかの回路を構成するコンデンサの容量値や抵抗の抵抗値が変更可能に構成されることで、位相差φ１を任意に調整可能に構成されている。
【００１７】
論理パルス生成部５は、検出パルスＳｉおよび基準パルスＳｒｅｆの論理演算のパルス（同期パルスＳｓｙｎおよび検出パルスＳｉと同じ周波数（同じ周期Ｔ０））を生成して、論理パルスＳｌｇｃとして出力する。本例では一例として、論理パルス生成部５は、１つのＡＮＤゲートで構成されて、入力した検出パルスＳｉおよび基準パルスＳｒｅｆの論理演算の一例としての論理積を演算することによって論理パルスＳｌｇｃを生成し、この論理パルスＳｌｇｃを制御部６に出力する。
【００１８】
制御部６は、一例としてパルス生成部２と共にマイクロコンピュータで構成されて、デューティ比算出処理と周波数制御処理とを実行する。このデューティ比算出処理では、制御部６は、入力した論理パルスＳｌｇｃのデューティ比を算出（計測）する。また、周波数制御処理では、制御部６は、算出した論理パルスＳｌｇｃのデューティ比と予め設定された基準デューティ比（本例では論理演算の一例として論理積を演算するため、０を超え、０．５未満の範囲内の値。例えば、０．２５）とを比較すると共に、この比較結果に基づいてパルス生成部２を制御して駆動パルスＳｄの周波数を変更することにより、論理パルスＳｌｇｃのデューティ比を基準デューティ比に一致させる。なお、パルス信号の平均値は、パルス信号のデューティ比に比例して変化する特性値である。このため、パルス信号についてのデューティ比の算出と平均値の算出とは等価である。このため、上記のデューティ比算出処理において、論理パルスＳｌｇｃの平均値を算出し、上記の周波数制御処理では、この算出した平均値と予め規定された基準平均値（基準デューティ比と等価な特性値）とを比較する構成を採用することもできる。
【００１９】
次に、圧電トランス駆動回路１の動作について説明する。
【００２０】
まず、この圧電トランス駆動回路１では、圧電トランス１１の共振周波数を変動させる要因になる温度や湿度などの環境要素が一定の状態において、圧電トランス１１の共振周波数に一致する周波数の駆動パルスＳｄをパルス生成部２から出力させて、圧電トランス１１を駆動する。例えば、圧電トランス１１の製造メーカから提供される圧電トランス１１についての仕様書（またはカタログ）に記載されている共振周波数についての特性を測定した環境要素の条件と同じ条件に上記の環境要素を揃え、この状態において、仕様書に記載されている共振周波数と同じ周波数でパルス生成部２から駆動パルスＳｄを出力させて圧電トランス１１を駆動する。
【００２１】
また、この駆動状態において、電流検出部３から出力される検出パルスＳｉと、位相調整部４から出力される基準パルスＳｒｅｆとをオシロスコープなどでモニタしつつ、位相調整部４に対する調整（同期パルスＳｓｙｎに対する基準パルスＳｒｅｆの位相差φ１の調整）を行うことにより、検出パルスＳｉおよび基準パルスＳｒｅｆの論理演算の演算結果（本例では論理積）を示す論理パルスＳｌｇｃのデューティ比が基準デューティ比（０．２５）に一致するように、検出パルスＳｉに対する基準パルスＳｒｅｆの位相差φ２（検出パルスＳｉおよび基準パルスＳｒｅｆ間の位相差）を調整（設定）する。
【００２２】
これにより、環境要素が上記の位相調整部４に対する調整実行時の環境要素から変化していない図２に示す期間Ｔａでは、圧電トランス１１の共振周波数も、この調整実行時の周波数から変化していない。このため、圧電トランス１１における駆動パルスＳｄに対する出力電圧Ｖｏｕｔの位相差も変化せず、これにより、駆動パルスＳｄに対する出力電流Ｉｏｕｔの位相差も変化しない。したがって、駆動パルスＳｄに対する検出パルスＳｉの位相差も変化していないことから、駆動パルスＳｄに基づいて生成される基準パルスＳｒｅｆと検出パルスＳｉとの位相差も変化せず、論理パルスＳｌｇｃのデューティ比は基準デューティ比に維持されている。これにより、制御部６は、パルス生成部２に対する制御を実行して、パルス生成部２から生成されている駆動パルスＳｄの周波数を、調整実行時の周波数に維持している。以上のことから、駆動パルスＳｄの周波数は、圧電トランス１１の共振周波数に一致した状態に維持されている。
【００２３】
また、位相調整部４に対する調整実行時の環境要素のうちの例えば温度が変化し、これに起因して圧電トランス１１の共振周波数が、位相調整部４に対する調整実行時の共振周波数（当初の共振周波数）ｆｏから、より低い周波数にシフト（変化）したときには、パルス生成部２から出力されている駆動パルスＳｄの周波数は元の共振周波数ｆｏと同じままであるため、この周波数（ｆｏ）の駆動パルスＳｄに対する出力電圧Ｖｏｕｔの位相差（出力電流Ｉｏｕｔの位相差でもある）は増加する。これにより、駆動パルスＳｄに対する検出パルスＳｉの位相差φ３も増加するため、図２の期間Ｔｂに示すように、駆動パルスＳｄに同期する同期パルスＳｓｙｎから生成される基準パルスＳｒｅｆと検出パルスＳｉとの位相差φ２も増加する。
【００２４】
したがって、検出パルスＳｉおよび基準パルスＳｒｅｆの論理演算の演算結果を示す論理パルスＳｌｇｃのデューティ比が減少する（当初の０．２５よりも小さくなる）ことから、制御部６は、上記のデューティ比算出処理および周波数制御処理を実行して、駆動パルスＳｄの周波数をより低い周波数に変更する。
【００２５】
これにより、周波数変更後の駆動パルスＳｄに対する出力電圧Ｖｏｕｔの位相差（出力電流Ｉｏｕｔの位相差でもある）が減少することから、駆動パルスＳｄに対する検出パルスＳｉの位相差φ３も増加した状態から減少し、基準パルスＳｒｅｆと検出パルスＳｉとの位相差φ２も増加した状態から減少する。したがって、論理パルスＳｌｇｃのデューティ比が減少した状態から増加する。
【００２６】
制御部６がこのデューティ比算出処理および周波数制御処理を繰り返し実行して、駆動パルスＳｄの周波数を徐々に低くすることで、減少していた論理パルスＳｌｇｃのデューティ比が徐々に増加させられて、基準デューティ比に一致する。また、論理パルスＳｌｇｃのデューティ比が基準デューティ比に一致した時点で、駆動パルスＳｄの周波数が圧電トランス１１のシフト後の共振周波数に一致する。
【００２７】
また、位相調整部４に対する調整実行時の環境特性値のうちの例えば温度が変化し、これに起因して圧電トランス１１の共振周波数が、位相調整部４に対する調整実行時の共振周波数（当初の共振周波数）ｆｏから、より高い周波数にシフト（変化）したときには、パルス生成部２から出力されている駆動パルスＳｄの周波数は元の共振周波数ｆｏと同じままであるため、この周波数（ｆｏ）の駆動パルスＳｄに対する出力電圧Ｖｏｕｔの位相差（出力電流Ｉｏｕｔの位相差でもある）は減少する。これにより、駆動パルスＳｄに対する検出パルスＳｉの位相差φ３も減少するため、図２の期間Ｔｃに示すように、駆動パルスＳｄに同期する同期パルスＳｓｙｎから生成される基準パルスＳｒｅｆと検出パルスＳｉとの位相差φ２も減少する。
【００２８】
したがって、検出パルスＳｉおよび基準パルスＳｒｅｆの論理演算の演算結果を示す論理パルスＳｌｇｃのデューティ比が増加する（当初の０．２５よりも大きくなる）ことから、制御部６は、上記のデューティ比算出処理および周波数制御処理を実行して、駆動パルスＳｄの周波数をより高い周波数に変更する。
【００２９】
これにより、周波数変更後の駆動パルスＳｄに対する出力電圧Ｖｏｕｔの位相差（出力電流Ｉｏｕｔの位相差でもある）が増加することから、駆動パルスＳｄに対する検出パルスＳｉの位相差φ３も減少した状態から増加し、基準パルスＳｒｅｆと検出パルスＳｉとの位相差φ２も減少した状態から増加する。したがって、論理パルスＳｌｇｃのデューティ比が増加した状態から減少する。
【００３０】
制御部６がこのデューティ比算出処理および周波数制御処理を繰り返し実行して、駆動パルスＳｄの周波数を徐々に高くすることで、増加していた論理パルスＳｌｇｃのデューティ比が徐々に減少させられて、基準デューティ比に一致する。また、論理パルスＳｌｇｃのデューティ比が基準デューティ比に一致した時点で、駆動パルスＳｄの周波数が圧電トランス１１のシフト後の共振周波数に一致する。
【００３１】
このように、この圧電トランス駆動回路１では、駆動パルスＳｄの周波数が圧電トランス１１の共振周波数ｆｏに一致するときの論理パルスＳｌｇｃのデューティ比が基準デューティ比に一致するように、位相調整部４での同期パルスＳｓｙｎに対する基準パルスＳｒｅｆの位相差φ１を予め調整（設定）した状態から、温度などの環境要素の変化に起因して圧電トランス１１の共振周波数ｆｏが変化したときには、制御部６は、論理パルスＳｌｇｃのデューティ比と基準ディーティ比とを比較しつつ、論理パルスＳｌｇｃのデューティ比が基準デューティ比に一致するようにパルス生成部２を制御して駆動パルスＳｄの周波数を変更する。
【００３２】
したがって、この圧電トランス駆動回路１によれば、図３に示すように、共振周波数ｆｏを中心とする所定幅の周波数帯域Ｗ内において周波数の変化に応じて単調に変化する（この例では一例として単調増加する）という位相についての周波数特性を利用して、変化する共振周波数に駆動パルスＳｄの周波数を追従させて変化させることができるため、変化後の共振周波数が未知であったとしても、共振周波数が周波数帯域Ｗ内において変化している限りにおいて、この共振周波数に駆動パルスＳｄの周波数を一致させることができる。この結果、この圧電トランス駆動回路１によれば、昇圧比が最大となる状態で圧電トランス１１を駆動することができる。
【００３３】
なお、上記の圧電トランス駆動回路１では、パルス生成部２から出力される駆動パルスＳｄで圧電トランス１１を直接駆動する構成を採用しているが、パルス生成部２で圧電トランス１１を直接駆動できない場合には、パルス生成部２と圧電トランス１１との間にドライバ回路を介在させて、駆動パルスＳｄをこのドライバ回路で増幅して圧電トランス１１に出力する構成を採用することもできる。また、電流検出部３において電流検出抵抗２１で出力電流Ｉｏｕｔを検出する構成を採用しているが、電流検出抵抗２１に代えて電流検出コイルを使用することもできる。
【００３４】
また、上記の圧電トランス駆動回路１では、位相調整部４が同期パルスＳｓｙｎに基づいて、検出パルスＳｉよりも位相の進んだ基準パルスＳｒｅｆを生成する構成を採用しているが、検出パルスＳｉよりも位相の遅れた基準パルスＳｒｅｆを生成する構成を採用することもできる。
【００３５】
この構成では、環境要素の変化に起因して圧電トランス１１の共振周波数が、位相調整部４に対する調整実行時の共振周波数（当初の共振周波数）ｆｏから、より低い周波数にシフト（変化）し、これによって駆動パルスＳｄに対する出力電圧Ｖｏｕｔの位相差（出力電流Ｉｏｕｔの位相差でもある）が増加したときには、上記した例とは逆に、検出パルスＳｉおよび基準パルスＳｒｅｆの論理演算の演算結果を示す論理パルスＳｌｇｃのデューティ比が増加することになるが、この場合には、制御部６は、上記のデューティ比算出処理および周波数制御処理を実行して、駆動パルスＳｄの周波数をより低い周波数に変更する。
【００３６】
また、環境要素の変化に起因して圧電トランス１１の共振周波数が、位相調整部４に対する調整実行時の共振周波数（当初の共振周波数）ｆｏから、より高い周波数にシフト（変化）し、これによって駆動パルスＳｄに対する出力電圧Ｖｏｕｔの位相差（出力電流Ｉｏｕｔの位相差でもある）が減少したときには、上記した例とは逆に、検出パルスＳｉおよび基準パルスＳｒｅｆの論理演算の演算結果を示す論理パルスＳｌｇｃのデューティ比が減少することになるが、この場合には、制御部６は、上記のデューティ比算出処理および周波数制御処理を実行して、駆動パルスＳｄの周波数をより高い周波数に変更する。
【００３７】
したがって、この構成においても、制御部６が周波数制御処理においてこのように駆動パルスＳｄの周波数を制御することで、駆動パルスＳｄの周波数を圧電トランス１１のシフト後の共振周波数に一致させることができる。
【００３８】
なお、論理パルス生成部５が検出パルスＳｉおよび基準パルスＳｒｅｆの論理演算の一例として論理積を演算する例について上記したが、論理パルス生成部５が、両パルスＳｉ，Ｓｒｅｆの論理和を論理演算として演算して論理パルスＳｌｇｃを出力する構成を採用することもできる。この構成においても、論理積を演算する上記の構成と同様にして、検出パルスＳｉおよび基準パルスＳｒｅｆの論理演算の演算結果（論理和）を示す論理パルスＳｌｇｃのデューティ比が基準デューティ比（０．５を超え、１未満の範囲内の値。例えば、０．７５）に一致するように、検出パルスＳｉに対する基準パルスＳｒｅｆの位相差φ２（検出パルスＳｉおよび基準パルスＳｒｅｆ間の位相差）を予め調整（設定）しておくことで、圧電トランス１１の共振周波数が位相差φ２の調整実行時の共振周波数（当初の共振周波数）ｆｏから温度変化などに起因してシフト（変化）したときには、このシフトの状態（共振周波数ｆｏからのずれ）に応じて論理パルスＳｌｇｃのデューティ比も変化する。
【００３９】
したがって、この構成（論理演算として論理和を実行する構成）においても、制御部６が周波数制御処理においてこのように駆動パルスＳｄの周波数を制御することで、駆動パルスＳｄの周波数を圧電トランス１１のシフト後の共振周波数に一致させることができる。
【００４０】
また、論理パルス生成部５が検出パルスＳｉおよび基準パルスＳｒｅｆの論理演算の一例として排他的論理和を演算して論理パルスＳｌｇｃを出力する構成を採用することもできる。この構成においても、論理積や論理和を演算する上記の構成と同様にして、検出パルスＳｉおよび基準パルスＳｒｅｆの論理演算の演算結果（排他的論理和）を示す論理パルスＳｌｇｃのデューティ比が基準デューティ比（０を超え、１未満の範囲内の値。例えば、０．５）に一致するように、検出パルスＳｉに対する基準パルスＳｒｅｆの位相差φ２（検出パルスＳｉおよび基準パルスＳｒｅｆ間の位相差）を予め調整（設定）しておくことで、圧電トランス１１の共振周波数が位相差φ２の調整実行時の共振周波数（当初の共振周波数）ｆｏから温度変化などに起因してシフト（変化）したときには、このシフトの状態（共振周波数ｆｏからのずれ）に応じて論理パルスＳｌｇｃのデューティ比も変化する。
【００４１】
したがって、この構成（論理演算として排他的論理和を実行する構成）においても、制御部６が周波数制御処理においてこのように駆動パルスＳｄの周波数を制御することで、駆動パルスＳｄの周波数を圧電トランス１１のシフト後の共振周波数に一致させることができる。
【００４２】
また、論理パルス生成部５については、検出パルスＳｉおよび基準パルスＳｒｅｆを論理演算して出力する論理パルスＳｌｇｃのデューティ比が圧電トランス１１の共振周波数ｆｏの変化に応じて単調に変化する（単調増加または単調減少）する回路である限り、上記した構成以外の各種回路（論理回路）で構成してもよいのは勿論である。例えば、検出パルスＳｉおよび基準パルスＳｒｅｆのうちの少なくとも一方についての反転パルスを使用して、上記のような論理パルスＳｌｇｃを出力する論理演算を行う回路で論理パルス生成部５を構成することもできる。
【符号の説明】
【００４３】
１  圧電トランス駆動回路
２  パルス生成部
３  電流検出部
４  位相調整部
５  論理パルス生成部
６  制御部
１１  圧電トランス
Ｉｏｕｔ  出力電流
Ｓｌｇｃ  論理パルス
Ｓｄ  駆動パルス
Ｓｉ  検出パルス
Ｓｒｅｆ  基準パルス
Ｓｓｙｎ  同期パルス
【図１】
2014124052.tif 000003
【図２】
2014124052.tif 000004
【図３】
2014124052.tif 000005